(57)【要約】【課題】二成分現像剤を用いたトリクル方式の現像装置において、簡単な構成により、キャリアが未使用で排出されることを防止する。【解決手段】現像剤を搬送・攪拌する攪拌部材と、現像剤担持体と、を備える現像装置であって、現像剤を現像槽へ補給する現像剤補給タンクと、トリクル方式の排出機構と、を備えてなり、現像槽内に最初に充填される現像槽内現像剤の初期充填量は、満充填量よりも少ないように構成されている。【選択図】図４
2009237427.tif 000002
【特許請求の範囲】
【請求項１】
トナー及びキャリアを含む現像槽内現像剤を現像槽内の搬送路に沿って搬送しながら攪拌する攪拌部材と、該攪拌部材に隣接配置され攪拌された現像槽内現像剤を静電潜像担持体へ供給する現像剤担持体と、を備える現像装置であって、
トナー及びキャリアを含有する補給用現像剤を現像槽へ補給する現像剤補給タンクと、
現像槽内攪拌部材によって搬送される現像槽内現像剤の量が、所定の満充填量を上回ったときに、上回った現像槽内現像剤を排出用開口部から現像槽外に排出する排出機構と、を備えてなり、
現像槽内に最初に充填される現像槽内現像剤の初期充填量は、前記満充填量よりも少ないように構成されていることを特徴とする現像装置。
【請求項２】
最初の現像槽内現像剤に含まれるキャリア量は、満充填時の現像槽内現像剤に含まれるキャリア量よりも少ないことを特徴とする、請求項１に記載の現像装置。
【請求項３】
前記初期充填量は、現像槽内現像剤が少ないことに起因して画像不良が生じる手前の限界充填量よりも多いことを特徴とする、請求項１に記載の現像装置。
【請求項４】
前記現像剤補給タンクに初回に充填される補給用現像剤に含まれるキャリアの比率は、現像剤補給タンクに初回以降に充填される補給用現像剤に含まれるキャリアの比率よりも小さいように構成されていることを特徴とする、請求項１に記載の現像装置。
【請求項５】
前記現像剤補給タンクは、現像装置に対して着脱可能に構成されていて、現像剤補給タンクに充填された補給用現像剤に含まれるキャリアの比率に関する情報を記憶した情報記憶媒体を備えることを特徴とする、請求項１に記載の現像装置。
【請求項６】
周面に静電潜像を担持する回転可能な静電潜像担持体と、
トナー及びキャリアを含む現像槽内現像剤を現像槽内の搬送路に沿って搬送しながら攪拌する攪拌部材と、該攪拌部材に隣接配置され攪拌された現像槽内現像剤を静電潜像担持体へ供給する現像剤担持体とを含む現像装置と、を備える画像形成装置であって、
トナー及びキャリアを含有する補給用現像剤を現像槽へ補給する現像剤補給タンクと、
現像槽内攪拌部材によって搬送される現像槽内現像剤の量が、所定の満充填量を上回ったときに、上回った現像槽内現像剤を排出用開口部から現像槽外に排出する排出機構と、を備えてなり、
現像槽内に最初に充填される現像槽内現像剤の初期充填量は、前記満充填量よりも少ないように構成されていることを特徴とする画像形成装置。
【請求項７】
最初の現像槽内現像剤に含まれるキャリア量は、満充填時の現像槽内現像剤に含まれるキャリア量よりも少ないことを特徴とする、請求項６に記載の画像形成装置。
【請求項８】
前記初期充填量は、現像槽内現像剤が少ないことに起因して画像不良が生じる手前の限界充填量よりも多いことを特徴とする、請求項６に記載の画像形成装置。
【請求項９】
前記現像剤補給タンクに初回に充填される補給用現像剤に含まれるキャリアの比率は、現像剤補給タンクに初回以降に充填される補給用現像剤に含まれるキャリアの比率よりも小さいように構成されていることを特徴とする、請求項６に記載の画像形成装置。
【請求項１０】
前記現像剤補給タンクは、現像装置に対して着脱可能に構成されていて、現像剤補給タンクに充填された補給用現像剤に含まれるキャリアの比率に関する情報を記憶した情報記憶媒体を備えることを特徴とする、請求項６に記載の画像形成装置。
【請求項１１】
トナー及びキャリアを含む現像槽内現像剤を現像槽内の搬送路に沿って搬送しながら攪拌する攪拌部材と、該攪拌部材に隣接配置され攪拌された現像槽内現像剤を静電潜像担持体へ供給する現像剤担持体と、トナー及びキャリアを含有する補給用現像剤を現像槽へ補給する現像剤補給タンクと、現像槽内攪拌部材によって搬送される現像槽内現像剤の量が、所定の満充填量を上回ったときに、上回った現像槽内現像剤を排出用開口部から現像槽外に排出する排出機構と、を備える現像装置の現像槽に対して現像剤を充填する方法であり、
現像槽内に最初に充填される現像槽内現像剤の初期充填量は、前記満充填量よりも少ないように構成されていることを特徴とする、現像剤の充填方法。
【発明の詳細な説明】
【技術分野】
【０００１】
本発明は、電子写真方式の画像形成装置に用いられる現像装置、画像形成装置及び現像剤の充填方法に関する。本発明は、詳細には、新規現像剤を少しずつ供給するとともに劣化現像剤を少しずつ排出するというトリクル方式の現像装置、当該現像装置を用いた画像形成装置、及び当該現像装置に用いられる現像剤の充填方法に関する。
【背景技術】
【０００２】
電子写真方式の画像形成装置に用いられる現像方式として、現像剤の主成分としてトナーを用いる一成分現像方式と、現像剤の主成分としてトナー及びキャリアを用いる二成分現像方式と、が知られている。
【０００３】
トナー及びキャリアを用いた二成分現像方式は、トナーとキャリアとを摩擦接触させることによって両者を所定の極性に荷電させるため、一成分現像剤を用いた一成分現像方式よりも、トナーの受けるストレスが少ないという特徴を有している。キャリアの表面積はトナーよりも大きいことから、トナーがキャリア表面に付着することによってキャリアが汚れることも少ない。しかし、長期間の使用により、キャリア表面に付着した汚れ（スペント）が増加し、そのためにトナーを帯電する能力が次第に低下する。その結果、かぶりやトナー飛散の問題が発生する。二成分現像装置の長寿命化を図るために、現像装置に収容するキャリアの量を増やすことも考えられるが、これは現像装置の大型化を招くために望ましくない。
【０００４】
二成分現像剤に係る上記問題を解消するため、特許文献１には、新規の現像剤を少しずつ現像装置内に補給するとともに、帯電性能の劣化した現像剤を少しずつ現像装置から排出することによって、劣化キャリアの増加を抑制するというトリクル方式の現像装置が開示されている。この現像装置は、現像剤の嵩変動を利用して、余剰となった劣化現像剤を排出して現像装置内の現像剤の嵩レベルを大略一定に保つ構成である。このトリクル方式の現像装置によれば、現像装置内の劣化キャリアが少しずつ新規キャリアに置換され、現像装置内のキャリアの帯電性能を大略一定に保つことが可能となる。
【０００５】
ところで、二成分現像剤を用いたトリクル方式の現像装置では、現像装置内に含まれる現像剤が所定量で存在することを維持するために、補給タンクから新規の現像剤を補給すること、及び、現像装置内にある現像剤を排出口から排出することが行われている。排出口から排出される現像剤には、劣化キャリアとともに、未使用のキャリアが含まれているので、せっかく補給した新規キャリアが無駄になっているという問題がある。そこで、新規に補給された現像剤が未使用で排出されてしまうことを防止するために、特許文献２のような画像形成装置が提案されている。
【０００６】
すなわち、特許文献２の画像形成装置は、第一攪拌搬送室内の現像剤が所定量になるまで現像剤の排出動作を行うことなく循環動作を行い、現像剤が所定量になっていることがセンサで検出されると、第一攪拌搬送室の排出口を閉じていた蓋を開けるとともに、供給搬送室の排出口を閉じていたシャッタを開け、新規に補給した現像剤を循環・攪拌させることで、補給された新規の現像剤が直接に排出されることを防止しようとするものである。
【特許文献１】特開昭５９−１００４７１号公報
【特許文献２】特開２００７−０７８７５７号公報
【発明の開示】
【発明が解決しようとする課題】
【０００７】
特許文献２に開示された画像形成装置は、補給された新規の現像剤を循環・攪拌させたあとに排出を行うというものであって、現像剤を排出するためのシャッタが、コントローラからの信号に基づいてシャッタ開閉用モータで駆動されるという構成であるために、現像剤の排出を制御するための排出制御構成が複雑でありコストも高いという問題がある。
【０００８】
したがって、本発明の解決すべき技術的課題は、二成分現像剤を用いたトリクル方式の現像装置において、簡単な構成により、キャリアが未使用で排出されることを防止することのできる現像装置、画像形成装置及び現像剤の充填方法を提供することである。
【課題を解決するための手段および作用・効果】
【０００９】
前記技術的課題を解決するために、本願発明は、
トナー及びキャリアを含む現像槽内現像剤を現像槽内の搬送路に沿って搬送しながら攪拌する攪拌部材と、該攪拌部材に隣接配置され攪拌された現像槽内現像剤を静電潜像担持体へ供給する現像剤担持体と、トナー及びキャリアを含有する補給用現像剤を現像槽へ補給する現像剤補給タンクと、現像槽内攪拌部材によって搬送される現像槽内現像剤の量が、所定の満充填量を上回ったときに、上回った現像槽内現像剤を排出用開口部から現像槽外に排出する排出機構と、を備える現像装置の現像槽に対して現像剤を充填する方法であり、
現像槽内に最初に充填される現像槽内現像剤の初期充填量は、前記満充填量よりも少ないように構成されていることを基本的特徴としている。
【００１０】
さらに、本発明によれば、
トナー及びキャリアを含む現像槽内現像剤を現像槽内の搬送路に沿って搬送しながら攪拌する攪拌部材と、該攪拌部材に隣接配置され攪拌された現像槽内現像剤を静電潜像担持体へ供給する現像剤担持体と、を備える現像装置であって、
トナー及びキャリアを含有する補給用現像剤を現像槽へ補給する現像剤補給タンクと、
現像槽内攪拌部材によって搬送される現像槽内現像剤の量が、所定の満充填量を上回ったときに、上回った現像槽内現像剤を排出用開口部から現像槽外に排出する排出機構と、を備えてなり、
現像槽内に最初に充填される現像槽内現像剤の初期充填量は、前記満充填量よりも少ないように構成されていることを特徴とする現像装置が提供される。
【００１１】
いわゆるトリクル方式の排出機構を有する現像装置が通常の作動状態にあるとき、トリクル方式の排出機構により現像槽内現像剤に対して排出動作が行われるとともに、現像剤補給タンクから新規の現像剤を補給する補給動作が行われ、その結果、現像槽内は、供給量と排出量とが実質的に等しくなる満充填量で現像槽内現像剤で充填された満充填状態になっている。このような満充填状態に至るまでの初期段階において、現像槽内に最初に充填される現像槽内現像剤の初期充填量を、予め、満充填量よりも少なく構成することにより、補給された補給用現像剤が現像槽内に収容される。したがって、補給された補給用現像剤に含まれたキャリアが未使用で排出されることを防止することができる。また、現像槽内現像剤の排出を制御するための排出制御機構等を別途設けることが不要であるので、新たな費用が発生することはない。
【００１２】
画像形成装置を稼働させることにより、いずれは現像装置が満充填状態に至ることになる。満充填状態になって排出動作が行われるときにキャリアの排出量をより少なくするために、最初の現像槽内現像剤に含まれるキャリア量は、満充填時の現像槽内現像剤に含まれるキャリア量よりも少ないことが好適である。
【００１３】
現像槽内現像剤の初期充填量を余りにも少量に設定した場合には、画像濃度ムラ等の画像不良が生じてしまう。そこで、初期充填量は、現像槽内現像剤が少ないことに起因して画像不良が生じる手前の限界充填量よりも多いように構成されている。
【００１４】
画像形成動作が行われると現像槽内でのトナーが消費されてトナー濃度は次第に低下していく。トナー消費に対応して、所定量のトナーが現像剤補給タンクから補給されるが、トナー補給はトナーとキャリアとを含む補給用現像剤の補給という形で行われるので、トナー補給に付随してキャリアの補給も行われる。補給されたキャリア量が最初から存在するキャリア量に加算されるために、現像槽内に存在するキャリア量が次第に増加する。したがって、キャリアが未使用で排出される可能性がある。また、現像装置が作動してあまり時間が経過していない初期段階では、キャリアの劣化もあまり進んでいないので、多くのキャリアの置換を必要としない。キャリアが未使用状態で排出されることを避けるために、現像剤補給タンクに初回に充填される補給用現像剤に含まれるキャリアの比率は、現像剤補給タンクに初回以降に充填される補給用現像剤に含まれるキャリアの比率よりも小さいように構成されている。
【００１５】
上述したように、初期段階と、初期段階からある程度の時間が経過して通常の画像形成動作を行っている通常動作段階とにおいて、補給用現像剤に含まれるキャリアの比率の異なった複数種類の現像剤補給タンクが使用されることもある。初期段階と通常動作段階との間で、設置すべき現像剤補給タンクと異なった現像剤補給タンクが現像装置に対して誤って設置される可能性があるので、現像剤補給タンクの誤設置を防止する必要がある。設置対象の現像剤補給タンクがどのようなキャリア比率を有するものであるかを装置側が判別することができるように、現像剤補給タンクは、現像装置に対して着脱可能に構成されていて、現像剤補給タンクに充填された補給用現像剤に含まれるキャリアの比率に関する情報を記憶した情報記憶媒体を備えることが好適である。
【００１６】
上述した現像装置は、周面に静電潜像を担持する回転可能な静電潜像担持体を備える画像形成装置に組み込んで使用される。
【発明を実施するための最良の形態】
【００１７】
以下に、添付図面を参照して本発明の好適な実施形態を説明する。なお、以下の説明では、特定の方向を意味する用語（例えば、「上」、「下」、「左」、「右」、およびそれらを含む他の用語、「時計回り方向」、「反時計回り方向」）を使用するが、それらの使用は図面を参照した発明の理解を容易にするためであって、それらの用語の意味によって本発明は限定的に解釈されるべきものでない。また、以下に説明する画像形成装置１及び現像装置３４では、同一又は類似の構成部分には同一の符号を用いている。
【００１８】
図１乃至３を参照しながら、本発明の一実施形態に係る画像形成装置１及び当該画像形成装置１に使用される現像装置３４について説明する。
【００１９】
〔画像形成装置〕
図１は、本発明に係る電子写真式画像形成装置１の画像形成に関連する部分を示す。画像形成装置１は、複写機、プリンタ、ファクシミリ、およびそれらの機能を複合的に備えた複合機のいずれであってもよい。画像形成装置１は、静電潜像坦持体である感光体１２を有する。実施形態において、感光体１２は円筒体で構成されているが、本発明はそのような形態に限定されるものでなく、代わりに無端ベルト式の感光体も使用可能である。感光体１２は、図示しないモータに駆動連結されており、モータの駆動に基づいて矢印方向に回転するようにしてある。感光体１２の周囲には、感光体１２の回転方向に沿って、帯電装置２６、露光装置２８、現像装置３４、転写装置３６、およびクリーニング装置４０がそれぞれ配置されている。
【００２０】
帯電装置２６は、感光体１２の外周面である感光体層を所定の電位に帯電する。実施形態では、帯電装置２６は円筒形状のローラとして表されているが、これに代えて他の形態の帯電装置（例えば、回転型又は固定型のブラシ式帯電装置、ワイヤ放電式帯電装置）も使用できる。感光体１２の近傍又は感光体１２から離れた場所に配置された露光装置２８は、帯電された感光体１２の外周面に向けて、画像光３０を出射する。露光装置２８を通過した感光体１２の外周面には、画像光３０が投射されて電位の減衰した部分とほぼ帯電電位を維持する部分とからなる静電潜像が形成される。実施形態では、電位の減衰した部分が静電潜像画像部、ほぼ帯電電位を維持する部分が静電潜像非画像部である。現像装置３４は、後述する現像槽内現像剤３を用いて静電潜像を可視像化する。現像装置３４の詳細は後に説明する。転写装置３６は、感光体１２の外周面に形成された可視像を紙やフィルムなどの用紙３８に転写する。図１に示した実施形態では、転写装置３６は円筒形状のローラとして図示されているが、他の形態の転写装置（例えば、ワイヤ放電式転写装置）も使用できる。クリーニング装置４０は、転写装置３６で用紙３８に転写されることなく感光体１２の外周面に残留する未転写トナーを感光体１２の外周面から回収する。実施形態では、クリーニング装置４０は板状のブレードとして図示されているが、代わりに他の形態のクリーニング装置（例えば、回転型又は固定型のブラシ式クリーニング装置）も使用できる。
【００２１】
このような構成を備えた画像形成装置１が画像形成を行うとき、感光体１２はモータ（図示せず）の駆動に基づいて例えば反時計周り方向に回転する。このとき、帯電装置２６を通過する感光体１２の外周部分は、帯電装置２６で所定の電位に帯電される。帯電された感光体１２の外周部分は、露光装置２８で画像光３０が露光されて静電潜像が形成される。静電潜像は、感光体１２の回転と共に現像装置３４のところまで搬送され、現像装置３４によって可視像化される。可視像化されたトナー像は、感光体１２の回転と共に転写装置３６のところまで搬送され、転写装置３６により用紙３８に転写される。トナー像が転写された用紙３８は定着装置２０のところまで搬送され、用紙３８にトナー像が固定される。転写装置３６を通過した感光体１２の外周部分はクリーニング装置４０のところまで搬送され、用紙３８に転写されることなく感光体１２の外周面に残存するトナーが感光体１２から掻き取られる。
【００２２】
〔現像装置〕
現像装置３４は、非磁性トナー（以下、単にトナーという。）及び磁性キャリア（以下、単にキャリアという。）を含む２成分現像剤と、種々の部材を収容する現像槽６６と、を備えている。現像槽６６は感光体１２に向けて開放された開口部を備えており、この開口部の近傍に形成された空間に現像ローラ４８が設けられている。現像剤担持体としての現像ローラ４８は、円筒状の部材であり、感光体１２と平行に且つ感光体１２の外周面と所定の現像ギャップを介して、回転可能に枢支されている。
【００２３】
現像ローラ４８は、回転不能に固定された磁石体４８ａと、磁石体４８ａの周囲を回転可能に支持された円筒状のスリーブ４８ｂ（第一の回転円筒体）と、を有するいわゆるマグネットローラである。現像ローラ４８のスリーブ４８ｂの上方には、現像槽６６に固定され、現像ローラ４８のスリーブ４８ｂの中心軸と平行に延在する規制板６２が、所定の規制ギャップを介して対向配置されている。現像ローラ４８の内側にある磁石体４８ａは、スリーブ４８ｂの回転方向に沿って、Ｎ１、Ｓ２、Ｎ３、Ｎ２、Ｓ１という５個の磁極を有する。これらの磁極のうち、主磁極Ｎ１は、感光体１２と対向するように配置されている。スリーブ４８ｂの上の現像剤を剥離させるための反発磁界を発生させる同極のＮ２及びＮ３は、現像槽６６の内部に対向配置されている。現像ローラ４８のスリーブ４８ｂは、感光体１の回転方向と逆向きに（カウンター方向に）回転する。
【００２４】
図２は、現像装置３４を上から見た模式的断面図である。図２に示すように、現像ローラ４８の背後には、現像剤攪拌搬送室６７が形成されている。現像剤攪拌搬送室６７は、現像ローラ４８の近傍に形成された第二搬送路７０と現像ローラ４８から離れた第一搬送路６８と、第一搬送路６８及び第二搬送路７０を間仕切る隔壁７６と、を有する。第一搬送路６８の搬送方向の上流側の上方には、現像剤補給タンク８０が配設されていて、現像剤補給タンク８０は補給口８２を介して第一搬送路６８と通じている。現像剤補給タンク８０には、トナーを主成分としてキャリアを含有する補給用現像剤２が充填されている。補給用現像剤２のキャリア比は、好ましくは５乃至４０重量％であり、より好ましくは１０乃至３０重量％である。また、第二搬送路７０の搬送方向の下流側の下方には、現像剤回収タンク９０が配設されていて、第二搬送路７０は回収口９２を介して現像剤回収タンク９０と通じている。
【００２５】
現像剤補給タンク８０の底部には、制御部１００によって駆動制御される現像剤供給ローラが配置されている。現像剤供給ローラが回転駆動されることによって、その駆動時間に応じた量の新規の補給用現像剤２が、流下して現像槽６６の第一搬送路６８に供給される。
【００２６】
第一搬送路６８には、現像槽内現像剤３を攪拌しながら搬送する攪拌部材である第一スクリュー７２が回転可能に枢支されている。第二搬送路７０には、第一搬送路６８からの現像槽内現像剤３を攪拌しながら現像ローラ４８に搬送する第二スクリュー７４が回転可能に枢支されている。この場合、第二搬送路７０と第一搬送路６８との両端部に位置する隔壁７６の上部が切り欠かれることによって連絡通路が形成されている。すなわち、図２において、隔壁７６の右側には、第二搬送路７０の下流側及び第一搬送路６８の上流側をつなぐ第一連絡路７１が形成されており、隔壁７６の左側には、第一搬送路６８の下流側及び第二搬送路７０の上流側をつなぐ第二連絡路６９が形成されている。その結果、第二搬送路７０と第一連絡路７１と第一搬送路６８と第二連絡路６９とによって現像槽内現像剤３が循環する循環経路が形成されている。現像槽内現像剤３は、例えば図２の矢印方向にしたがって反時計回りに現像剤攪拌搬送室内を循環する。
【００２７】
第一スクリュー７２及び第二スクリュー７４は、所定のピッチを有する螺旋状の羽根がシャフトに固定されたスパイラルスクリューである。図２に示すように、第二スクリュー７４は、図中の右側に延在して、回収口９２の上まで延在している。
【００２８】
第二スクリュー７４は、第二搬送路７０に延在する搬送用正スクリュー部と、搬送方向の下流側端部（図２の右端部）に位置する現像剤排出部７９に延在する排出用正スクリュー部と、を有する。搬送用正スクリュー部は、現像槽６６の内部に存在する現像槽内現像剤を現像剤排出部７９まで搬送する。排出用正スクリュー部は、現像剤排出部７９の内部に存在する現像剤を回収口９２まで搬送する。
【００２９】
また、第二スクリュー７４は、第二搬送路７０から第一搬送路６８に向かう第一連絡路７１及び第一搬送路６８の下流側側端部に対応する位置において、スパイラルスクリューの螺旋の向きが他の部分とは逆向きに構成されている逆スクリュー部を有する。逆スクリュー部の現像剤排出部７９の側においては、せき止め部材７３が設けられている。せき止め部材７３は、第二スクリュー７４の回転軸に対して直交する方向に延在する大略円板状の部材であって、逆スクリュー部によって形成された現像槽内現像剤３の盛り上がりが現像剤排出部７９の側に移動することを規制する働きを有する。
【００３０】
第二スクリュー７４が回転すると、逆スクリュー部により、現像槽内現像剤３を現像剤排出部７９から第二搬送路７０に向かう逆向きの流れを発生させる。その結果、第二スクリュー７４が回転すると、第二スクリュー７４の搬送方向の下流側端部（右端部）での現像槽内現像剤３の高さが他の部分に比べて高くなる。すなわち、第二搬送路７０の搬送方向の下流側端部（右端部）、すなわち逆スクリュー部の部分において、現像槽内現像剤３の盛り上がりが形成される。そして、現像槽内現像剤３の盛り上がりが現像剤排出部７９の側に移動することは、せき止め部材７３により規制されている。
【００３１】
ここで、現像装置３４は、いわゆるトリクル方式を採用したものであるから、余剰の現像槽内現像剤３を流出させるための流出口７５を有している。すなわち、流出口７５として、第二搬送路７０の搬送方向の下流側端部（右端部）に位置する側壁の上部が部分的に切り欠かれた切欠７５が設けられている。第二スクリュー７４によって搬送される現像剤は、通常の状態では逆スクリュー部及びせき止め部材７３によってせき止められることにより、図２の実線矢印のように、第二搬送路７０から第一連絡路７１を介して第一搬送路６８へと搬送される。現像槽内における現像槽内現像剤３が増加して現像槽内の液面が上昇すると、逆スクリュー部及びせき止め部材７３のせき止め作用に抗して側壁の上部に設けられた流出口７５を現像槽内現像剤３が乗り越えて、隣接する現像剤排出部７９に溢出する。現像剤排出部７９に溢出した余剰の現像槽内現像剤３は、回収口９２まで搬送され、回収口９２を通じて現像剤回収タンク９０に回収（廃棄）される。
【００３２】
図２に示すように、現像剤攪拌搬送室６７には、現像剤攪拌搬送室６７内でのトナー濃度を検出するトナー濃度検出センサ７８が設けられている。トナー濃度検出センサ７８は、例えば、コイルのインダクタンスの変化から、現像剤攪拌搬送室６７内を搬送される現像槽内現像剤３の透磁率を検出する。トナー濃度検出センサ７８により検出された透磁率から、現像槽内現像剤３に対するトナーの比率が求められる。例えば、現像槽内現像剤３に含まれるキャリア量が少ない場合は、トナー比率が高いと検出される。一方、現像槽内現像剤３に含まれるキャリア量が多い場合は、トナー比率が低いと検出される。そして、このトナー濃度検出センサ７８から出力された電圧信号は、制御部１００に入力され、この検出信号に基づいて、必要な補給量が算出されるとともに、現像剤補給タンク８０の現像剤補給ローラが駆動され、所定量の補給用現像剤２が現像槽６６内に補給される。
【００３３】
現像装置３４において、画像形成動作により、循環している現像槽内現像剤３のトナー濃度が低下すると、トナーと少量のキャリアとを含有する補給用現像剤２が現像剤補給タンク８０から補給される。補給された補給用現像剤２は、すでに存在する現像槽内現像剤３と混合・攪拌されながら、上記現像剤攪拌搬送室６７の第一搬送路６８及び第二搬送路７０に沿って搬送される。基本的には、トナーは感光体１２で消費されるのに対して、キャリアは現像装置３４内に蓄積されるが、キャリアの帯電性能は次第に低下する。補給用現像剤２にはトナーよりも嵩高いキャリアが少量含まれているので、補給用現像剤２の補給に伴って、現像装置３４内での現像槽内現像剤３の量が徐々に増加する。そして、嵩の増えた現像槽内現像剤３が現像剤攪拌搬送室６７を循環する。現像剤攪拌搬送室６７を循環しきれない余剰の現像槽内現像剤３は、逆スクリュー部を乗り越えて、第二搬送路７０の搬送方向の下流側端部（右端部）に設けられた流出口７５から流出して、回収口９２を通じて現像剤回収タンク９０に回収される。
【００３４】
補給用現像剤２の補給量は、トナー濃度検出センサ７８によって検出された現像槽内現像剤３のトナー濃度と、画像形成時の画像情報（ドットカウンタ）と、現像剤補給タンク８０内での補給用現像剤２に対するキャリア比と、に基づいて決定される。現像剤補給タンク８０内での補給用現像剤２に対するキャリア比は、現像装置３４内でのキャリアの劣化を抑制するとともに、コストアップを招かない程度に調整される。トナーの補給動作に伴って、キャリアが少しずつ供給される。
【００３５】
後述するように、現像剤補給タンク８０は現像装置３４に対して着脱可能に構成されていて、補給用現像剤２に含まれるキャリアの比率の異なった複数種類の現像剤補給タンク８０が現像装置３４に対して装着されることもある。所望とする現像剤補給タンク８０と異なった現像剤補給タンク８０が現像装置３４に対して誤って設置されることを防止するために、設置対象の現像剤補給タンク８０がどのようなキャリア比率を有するものであるかを装置側が判別することができるように構成することが好適である。したがって、現像剤補給タンク８０は、現像剤補給タンク８０に充填された補給用現像剤２に含まれるキャリアの比率に関する情報を記憶した情報記憶メモリ（例えば、ＩＣチップやＩＣタグ）を備えている。
【００３６】
図３は、画像形成装置１の現像装置３４に係る制御ブロック図を示している。
【００３７】
制御手段としての制御部１００は、ＣＰＵ（Central Processing Unit）１０２、ＲＯＭ（Read Only Memory）１０４、ＲＡＭ（Random Access Memory）１０６等から構成される。ＲＯＭ１０４内に格納されている各種処理プログラムやテーブルに従って、ＣＰＵ１０２は画像形成装置１での各種動作を集中的に制御する。ＲＯＭ１０４には、例えば、トナー濃度検出センサ７８で検出された電圧から現像槽内現像剤３のトナー濃度に変換・算出するためのトナー濃度算出テーブルや、現実の現像槽内現像剤３のトナー濃度と基準トナー濃度との間の差異から補給すべき現像剤量を算出するための現像剤補給用テーブル等が格納されている。ＲＡＭ１０６は、制御部１００により実行される各種プログラム及びこれらプログラムに係るデータを一時的に記憶するワークエリアを形成している。
【００３８】
ＣＰＵ１０２には、現像装置３４や現像剤補給タンク８０やカウンタ１０８が接続されている。現像装置３４を構成する現像剤攪拌部材７２，７４、トナー濃度検出センサ７８、及び現像ローラ４８の各動作が、制御部１００のＣＰＵ１０２によって制御される。そして、トナー濃度検出センサ７８で検出された現像槽内現像剤３のトナー濃度や、画像形成時の画像情報や、現像剤補給タンク８０内での補給用現像剤２に含まれるキャリアの比率等は、ＲＡＭ１０６に一時的に記憶されている。
【００３９】
また、現像剤補給タンク８０に取り付けられた情報記憶メモリ８１に記憶されている情報は、読取インターフェースを介して、制御部１００のＣＰＵ１０２によって読み取られる。本来装着されるべき現像剤補給タンク８０と異なった現像剤補給タンク８０が装着されたと制御部１００のＣＰＵ１０２が判断した場合には、注意を喚起する音や人工音声を発するブザーやスピーカ等の警報手段や注意を喚起するメッセージを表示する表示手段により、現像剤補給タンク８０の誤装着を使用者に警告するように構成することができる。
【００４０】
〔現像剤〕
２成分現像剤は、トナーと、トナーを帯電させるためのキャリアと、を含んでいる。本発明においては、画像形成装置１において従来から一般的に使用されている公知のトナーが使用可能である。トナーの粒径は、例えば約３乃至１５μｍである。バインダー樹脂中に着色剤を含有させたトナーや、荷電制御剤や離型剤を含有するトナーや、表面に添加剤を保持するトナーも使用可能である。
【００４１】
トナーは、例えば、粉砕法、乳化重合法、懸濁重合法等の公知の方法で製造される。
【００４２】
トナーに使用されるバインダー樹脂は、限定的ではないが、例えば、スチレン系樹脂（スチレンまたはスチレン置換体を含む単重合体または共重合体）、ポリエステル樹脂、エポキシ系樹脂、塩化ビニル樹脂、フェノール樹脂、ポリエチレン樹脂、ポリプロピレン樹脂、ポリウレタン樹脂、シリコーン樹脂、またはそれらの樹脂を任意に混ぜ合わせたものである。バインダー樹脂は、軟化温度が約８０乃至１６０℃の範囲であり、ガラス転移点が約５０乃至７５℃の範囲であることが好ましい。
【００４３】
着色剤は、公知の材料、例えば、カーボンブラック、アニリンブラック、活性炭、マグネタイト、ベンジンイエロー、パーマネントイエロー、ナフトールイエロー、フタロシアニンブルー、ファーストスカイブルー、ウルトラマリンブルー、ローズベンガル、レーキーレッド等を用いることができる。着色剤の添加量は、一般に、バインダー樹脂１００重量部に対して、２乃至２０重量部であることが好ましい。
【００４４】
荷電制御剤は、従来から荷電制御剤として知られている材料が使用できる。具体的に、正極性に帯電するトナーには、例えばニグロシン系染料、４級アンモニウム塩系化合物、トリフェニルメタン系化合物、イミダゾール系化合物、ポリアミン樹脂が荷電制御剤として使用できる。負極性に帯電するトナーには、Ｃｒ、Ｃｏ、Ａｌ、Ｆｅ等の金属含有アゾ系染料、サリチル酸金属化合物、アルキルサリチル酸金属化合物、カーリックスアレーン化合物が荷電制御剤として使用できる。荷電制御剤は、バインダー樹脂１００重量部に対して、０．１乃至１０重量部の割合で用いることが好ましい。
【００４５】
離型剤は、従来から離型剤として使用されている公知のものを使用できる。離型剤の材料には、例えば、ポリエチレン、ポリプロピレン、カルナバワックス、サゾールワックス、又はそれらを適宜組み合わせた混合物が用いられる。離型剤は、バインダー樹脂１００重量部に対して、０．１乃至１０重量部の割合で用いることが好ましい。
【００４６】
さらに、現像剤の流動化を促進する流動化剤を添加してもよい。流動化剤には、例えば、シリカ、酸化チタン、酸化アルミニウム等の無機微粒子や、アクリル樹脂、スチレン樹脂、シリコーン樹脂、フッ素樹脂等の樹脂微粒子が使用できる。特にシランカップリング剤、チタンカップリング剤、およびシリコンオイル等で疎水化した材料を用いるのが好ましい。流動化剤は、トナー１００重量部に対して、０．１乃至５重量部の割合で添加することが好ましい。これら添加剤の個数平均一次粒径は、９乃至１００ｎｍであることが好ましい。
【００４７】
キャリアは、従来から一般に使用されている公知のキャリアを使用できる。バインダー型キャリアやコート型キャリアのいずれを用いてもよい。キャリア粒径は、限定的ではないが、約１５乃至１００μｍであることが好ましい。
【００４８】
バインダー型キャリアは、磁性体微粒子をバインダー樹脂中に分散させたものであり、表面に正極性または負極性に帯電する微粒子又はコーティング層を有するものが使用できる。バインダー型キャリアの極性等の帯電特性は、バインダー樹脂の材質、帯電性微粒子、表面コーティング層の種類によって制御できる。
【００４９】
バインダー型キャリアに用いられるバインダー樹脂としては、ポリスチレン系樹脂に代表されるビニル系樹脂、ポリエステル系樹脂、ナイロン系樹脂、ポリオレフィン系樹脂などの熱可塑性樹脂、フェノール樹脂等の硬化性樹脂が例示される。
【００５０】
バインダー型キャリアの磁性体微粒子としては、マグネタイト、ガンマ酸化鉄等のスピネルフェライト、鉄以外の金属（Ｍｎ、Ｎｉ、Ｍｇ、Ｃｕ等）を一種または二種以上含有するスピネルフェライト、バリウムフェライト等のマグネトプランバイト型フェライト、表面に酸化層を有する鉄や合金の粒子を用いることができる。キャリアの形状は、粒状、球状、針状のいずれであってもよい。特に高磁化を要する場合には、鉄系の強磁性微粒子を用いることが好ましい。化学的な安定性を考慮すると、マグネタイト、ガンマ酸化鉄を含むスピネルフェライトやバリウムフェライト等のマグネトプランバイト型フェライトの強磁性微粒子を用いることが好ましい。強磁性微粒子の種類及び含有量を適宜選択することにより、所望の磁化を有する磁性樹脂キャリアを得ることができる。磁性体微粒子は磁性樹脂キャリア中に５０乃至９０重量％の量で添加することが適切である。
【００５１】
バインダー型キャリアの表面コート材としては、シリコーン樹脂、アクリル樹脂、エポキシ樹脂、フッ素系樹脂等が用いられる。これらの樹脂をキャリア表面にコートし硬化させてコート層を形成することにより、キャリアの電荷付与能力を向上できる。
【００５２】
バインダー型キャリアの表面への帯電性微粒子あるいは導電性微粒子の固着は、例えば、磁性樹脂キャリアと微粒子とを均一混合し、磁性樹脂キャリアの表面にこれら微粒子を付着させた後、機械的・熱的な衝撃力を与えることにより微粒子を磁性樹脂キャリア中に打ち込むことで行われる。この場合、微粒子は、磁性樹脂キャリア中に完全に埋設されるのではなく、その一部が磁性樹脂キャリア表面から突出するように固定される。帯電性微粒子には、有機、無機の絶縁性材料が用いられる。具体的に、有機系の絶縁性材料としては、ポリスチレン、スチレン系共重合物、アクリル樹脂、各種アクリル共重合物、ナイロン、ポリエチレン、ポリプロピレン、フッ素樹脂およびこれらの架橋物などの有機絶縁性微粒子がある。電荷付与能力および帯電極性は、帯電性微粒子の素材、重合触媒、表面処理等に調整できる。無機系の絶縁性材料としては、シリカ、二酸化チタン等の負極性に帯電する無機微粒子や、チタン酸ストロンチウム、アルミナ等の正極性に帯電する無機微粒子が用いられる。
【００５３】
コート型キャリアは、磁性体からなるキャリアコア粒子を樹脂で被覆したキャリアであり、バインダー型キャリア同様に、キャリア表面に正極性または負極性に帯電する帯電性微粒子を固着することができる。コート型キャリアの極性等の帯電特性は、表面コーティング層の種類や帯電性微粒子の選択により調整できる。コーティング樹脂は、バインダー型キャリアのバインダー樹脂と同様の樹脂が使用可能である。
【００５４】
現像槽内現像剤３のトナー及びキャリアの混合比率は、所望のトナー帯電量が得られるように調整される。現像槽内現像剤３に含まれるトナーの比率は、トナー及びキャリアの合計量に対して、好ましくは３乃至２０重量％であり、より好ましくは４乃至１５重量％である。また、現像剤補給タンク８０に充填されている補給用現像剤２は、トナー及び少量のキャリアを含有したものであり、補給用現像剤２に含まれるキャリアの比率は、好ましくは１乃至５０重量％であり、より好ましくは５乃至３０重量％である。
【００５５】
このように構成された現像装置３４の動作を説明する。
【００５６】
画像形成時、図示しないモータの駆動に基づいて、現像ローラ４８のスリーブ４８ｂは矢印方向（反時計回り）に回転する。第一スクリュー７２の回転及び第二スクリュー７４の回転により、現像剤攪拌搬送室６７に存在する現像槽内現像剤３は、第一搬送路６８と第一連絡路７１と第二搬送路７０と第二連絡路６９とを循環搬送されながら、攪拌される。その結果、現像剤に含まれるトナーとキャリアとが摩擦接触し、互いに逆の極性に帯電される。実施形態では、キャリアは正極性、トナーは負極性に帯電されるものとする。本発明に用いるトナー及びキャリアの帯電性は、このような組み合わせに限定されるものでない。キャリアの外形寸法は、トナーに比べて相当大きい。そのため、正極性に帯電したキャリアの周囲に、負極性に帯電したトナーが、主として両者の電気的な吸引力に基づいて付着している。
【００５７】
帯電された現像槽内現像剤３は、第二スクリュー７４によって第二搬送路７０に搬送される過程で現像ローラ４８に供給される。この現像剤は、現像ローラ４８内部の磁石体４８ａの磁力によってスリーブ４８ｂの表面側に保持され、スリーブ４８ｂと共に反時計周り方向に回転移動して、現像ローラ４８に対向して設けられた規制板６２で通過量を規制された後、感光体１２と対向する現像領域へと搬送される。そして、現像領域において、磁石体４８ａの主磁極Ｎ１の磁力によって穂立ち（磁気ブラシ）が形成される。現像領域では、感光体１２上の静電潜像と現像バイアスの印加された現像ローラ４８との間に形成された電界（直流に交流が重畳された電界）がトナーに与える力により、トナーが感光体１２上の静電潜像側へと移動して、この静電潜像が顕像へと現像される。現像領域でトナーを消費した現像剤は、現像槽６６に向けて搬送され、現像槽６６の第二搬送路７０に対向して設けられた磁石体４８ａのＮ３，Ｎ２の反発磁界によって現像ローラ４８上から剥離され、現像槽６６内へと回収される。回収された現像剤は、第二搬送路７０を搬送されている現像槽内現像剤３と混合される。
【００５８】
このような画像形成によって現像槽内現像剤３の中からトナーが消費されるので、消費された量に見合う量のトナーが現像槽内現像剤３に補給される。そのために、現像装置３４は、現像剤攪拌搬送室６７に存在する現像槽内現像剤３に対するトナーの比率を測定するトナー濃度検出センサ７８を備えている。また、第一搬送路６８の上方には現像剤補給タンク８０が設けてある。
【００５９】
次に、本発明の一実施形態に係る現像装置３４における現像槽内現像剤３の初期充填量とキャリアの排出との関係を、図４及び５を参照しながら説明する。
【００６０】
図４は、現像槽内現像剤３の初期充填量が満充填量より少ない本願発明の場合と満充填量に等しい比較例の場合とにおいて、それぞれ、現像装置３４から排出されるキャリアの排出量が経過時間とともにどのように変化するかを説明する模式図である。図５は、現像槽内現像剤３の初期充填量が満充填量に等しい比較例の場合と満充填量より少ない本願発明の場合とにおいて、ある現像時間にわたって現像動作を行ったときに排出されるキャリアの排出総量を示す模式図である。
【００６１】
図４及び５に示した本発明の一実施形態に係る現像装置３４では、現像槽６６内に一番最初に充填される現像槽内現像剤３の初期充填量が、満充填量よりも少ないように構成されている。また、図４及び５に示した比較例では、現像槽６６内に一番最初に充填される現像槽内現像剤３の初期充填量が、満充填量に等しいように構成されている。本願において、満充填量とは、余剰となった現像槽内現像剤３が現像槽６６の外に排出されている状態における充填量のことであり、この状態では、現像槽６６内での現像槽内現像剤３の供給量と排出量とが実質的に等しくなっていて、現像槽内現像剤３が流出口７５のレベルまで現像槽６６内を満たしている状態における充填量のことである。
【００６２】
図４及び５に示した本発明に係る現像装置３４では、現像槽内現像剤３の初期充填量が満充填量よりも少なく構成されているので、現像槽６６には、満充填量から初期充填量を差し引いた差分に相当する容量を持った収容空間が現像槽６６に形成されていることになる。トナー濃度が低下して、低下したトナー濃度を基準トナー濃度まで回復させるために補給用現像剤２を補給する補給動作を行っても、当該収容空間が補給された補給用現像剤２を収容することができるので、補給用現像剤２に含まれた新規のキャリアが直ちに排出されることはない。したがって、図４に示すように、満充填状態になるまでは、キャリアの排出量がゼロであることを維持している。
【００６３】
これに対して、図４及び５に示した比較例に係る現像装置３４では、現像槽内現像剤３の初期充填量が満充填量に等しいように構成されているので、現像槽６６において収容空間が形成されることがなく、上記と同様の補給動作を行うと、補給された量だけ現像槽内現像剤３が現像槽６６から排出されてしまう。排出される現像槽内現像剤３には未使用のキャリアも含まれているので、図４に示すように、キャリアの排出量が経時的に増加することになる。
【００６４】
また、図５に示すように、満充填状態を過ぎて例えば３０００枚の画像形成動作を行ったときに排出される補給用現像剤２に含まれるキャリアの総量を見ると、初期充填量＜満充填量という関係を満足する本願発明の場合、上記収容空間に新規の補給用現像剤２が収容されるので、満充填状態までは補給用現像剤２に含まれるキャリアの排出総量がゼロであるが、満充填状態を過ぎるとほとんど未使用のキャリアが排出され始める（３０００枚の画像形成動作を行ったときのキャリアの排出総量をβとする）。これに対して、初期充填量＝満充填量という関係を満足する比較例の場合、上記収容空間が存在しないので、補給用現像剤２の補給量に相当する量の現像槽内現像剤３が直ちに排出されることになり、ほとんど未使用のキャリアの排出量が経時的に増加することになる（３０００枚の画像形成動作を行ったときのキャリアの排出総量をαとする）。本願発明及び比較例におけるキャリアの排出総量を、それぞれ、β及びαとすると、β＜αという関係になる。
【００６５】
したがって、本願発明の非常に簡単な構成により、ほとんど未使用の未だ劣化していないキャリアがすぐに排出されることを防止でき、さらには、補給用現像剤２に含まれる新規のキャリアが未使用で排出されることを防止することができる。
【００６６】
なお、現像槽内現像剤３を現像槽６６に最初に充填する初期充填作業は、画像形成装置１を製造した工場から出荷する出荷時点で既に行われているようにしたり、画像形成装置１をユーザのところに設置する設置時点で行われるようにしてもよい。
【００６７】
また、画像形成装置１を稼働させることにより、いずれは現像装置３４が満充填状態に至ることになる。満充填状態になって排出動作が行われるときにキャリアの排出量をより少なくするために、最初の現像槽内現像剤３に含まれるキャリア量を、満充填時の現像槽内現像剤３に含まれるキャリア量よりも少なくしておくことが好適である。
【００６８】
次に本発明の変形例について説明する。
【００６９】
画像形成動作が行われると、現像槽６６内に存在するトナーが消費されて現像槽６６内のトナー濃度は次第に低下していく。トナー消費に対応して、所定量のトナーが現像剤補給タンク８０から補給されるが、トナー補給に付随してキャリアの補給も行われる。新規の補給用現像剤２に含まれるキャリアの量が、予め充填されていたキャリアの初期充填量に加算されるために、現像槽６６内に存在するキャリア量が増加する。したがって、新規の補給用現像剤２に含まれるキャリアが未使用で排出される可能性がある。また、現像装置３４が作動してあまり時間が経過していない初期段階では、キャリアの劣化もあまり進んでいないので、多くのキャリアの置換を必要としない。新規の補給用現像剤２に含まれるキャリアが未使用で排出されることを回避するために、現像剤補給タンク８０に初回に充填される補給用現像剤２に含まれるキャリアの比率は、現像剤補給タンク８０に初回以降（すなわち、２回目、３回目、・・・）に充填される補給用現像剤２に含まれるキャリアの比率よりも小さいように構成されていることが好適である。
【００７０】
上述したように、初期段階と、初期段階からある程度の時間が経過して通常の画像形成動作を行っている通常動作段階とにおいて、補給用現像剤２に含まれるキャリアの比率の異なった複数種類の現像剤補給タンク８０が使用されることもある。ただし、このようにキャリアの比率の異なる複数種類のタンク８０を用いる場合、初期段階と通常動作段階との間で、本来設置すべき現像剤補給タンク８０とは異なった現像剤補給タンク８０が現像装置３４に対して誤って設置される可能性があるので、現像剤補給タンク８０の誤設置を防止する必要がある。設置しようとしている現像剤補給タンク８０がどのようなキャリア比率を有するものであるかを装置側が判別することができるように、現像剤補給タンク８０に充填された補給用現像剤２に含まれるキャリアの比率に関する情報を記憶した情報記憶メモリ８１を備えることが好適である。
【００７１】
図６を参照しながら、現像剤補給タンク８０の誤設置をどのようにして防止するかを説明する。図６は、本発明に係る現像剤補給タンク８０の検出に関するサブルーチンを説明するフローチャートである。
【００７２】
ステップＳ１０２において、所定のキャリア比率で補給用現像剤２が充填されて、キャリア比率に関する情報が情報記憶メモリ８１に記憶されている現像剤補給タンク８０が現像装置３４に対して装着される。ステップＳ１０４において、制御部１００のＣＰＵ１０２が情報記憶メモリ８１にアクセスして、情報記憶メモリ８１に記憶されているキャリア比率に関する情報が、読取インターフェースを介して、制御部１００のＣＰＵ１０２によって読み取られる。ステップＳ１１０において、制御部１００のＣＰＵ１０２により、装着された現像剤補給タンク８０が所定のキャリア比率で充填された現像剤補給タンク８０であるか否かが判別される。
【００７３】
装着された現像剤補給タンク８０が所定のキャリア比率で充填された現像剤補給タンク８０であるとステップＳ１１０で判別された場合、ステップＳ１１２において、現像剤供給ローラが回転駆動されることによって、装着された現像剤補給タンク８０から補給用現像剤２の補給が行われる。
【００７４】
装着された現像剤補給タンク８０が所定のキャリア比率で充填された現像剤補給タンク８０ではないとステップＳ１１０で判別された場合、ステップＳ１１４において、ブザーやスピーカ等が注意を喚起する音や人工音声を発したり、画像形成装置１に設けられたディスプレイ上に注意を喚起するメッセージを表示したりすることにより、現像剤補給タンク８０の誤装着を使用者に警告する。そして／または、現像剤供給ローラの回転駆動をロックして補給用現像剤２の補給動作が行われないようにすることができる。そして、所望としないキャリア比率で充填された現像剤補給タンク８０が装着されているのが、別の所望とするキャリア比率で充填された現像剤補給タンク８０に置換されたことが制御部１００のＣＰＵ１０２によって確認されると、補給用現像剤２の補給動作が行われる。
【００７５】
また、特許請求の範囲において、初期充填量が満充填量よりも少ないという初期充填量が取りうる上限値を用いて本願発明を規定したが、初期充填量がいくらでも少なくてもよいというものではない。初期充填量が取りうる下限値は、現像槽内現像剤の不足により画像濃度ムラ等の画像不良が生じる手前の限界充填量になるが、当該下限値は、画像形成動作を正常に行う上で必要不可欠である数値であり、下限値を下回ってしまうと正常な画像形成が不可能になってしまうので、特別に規定していないだけである。そこで、初期充填量は、上記限界充填量よりも多いように構成されている。
【図面の簡単な説明】
【００７６】
【図１】本発明の一実施形態に係る画像形成装置の概略構成を示す図である。
【図２】図１に示した画像形成装置の現像装置を上から見た模式的断面図である。
【図３】図２に示した画像形成装置の現像装置に係るブロック図である。
【図４】満充填量に対する初期充填量の大小と、現像装置が満充填状態になるまでに排出されるキャリア量との関係を説明する模式図である。
【図５】満充填量に対する初期充填量の大小と、ある現像時間中に排出されるキャリア量との関係を説明する模式図である。
【図６】本発明に係る現像剤補給タンクの検出に関するサブルーチンを説明するフローチャートである。
【符号の説明】
【００７７】
１：画像形成装置
２：補給用現像剤
３：現像槽内現像剤
１２：感光体
２０：定着装置
２２：定着ローラ
２６：帯電装置
２８：露光装置
３０：画像光
３４：現像装置
３６：転写装置
３８：用紙
４０：クリーニング装置
４８：現像ローラ（現像剤担持体）
４８ａ：磁石体
４８ｂ：スリーブ
６２：規制板
６６：現像槽
６７：現像剤攪拌搬送室
６８：第一搬送路
６９：第二連絡路
７０：第二搬送路
７１：第一連絡路
７２：第一スクリュー
７３：せき止め部材
７４：第二スクリュー
７５：切欠（流出口）
７６：隔壁
７８：トナー濃度検出センサ
７９：現像剤排出部
８０：現像剤補給タンク
８１：情報記憶メモリ
８２：補給口
９０：現像剤回収タンク
９２：回収口
１００：制御部
１０２：中央演算処理装置（ＣＰＵ）
１０４：読み出し専用メモリ（ＲＯＭ）
１０６：読み書き可能メモリ（ＲＡＭ）
１０８：カウンタ
【図１】
2009237427.tif 000003
【図２】
2009237427.tif 000004
【図３】
2009237427.tif 000005
【図４】
2009237427.tif 000006
【図５】
2009237427.tif 000007
【図６】
2009237427.tif 000008